【手続補正書】
【提出日】平成18年6月12日(2006.6.12)
【手続補正１】
【補正対象書類名】明細書
【補正対象項目名】特許請求の範囲
【補正方法】変更
【補正の内容】
【特許請求の範囲】
【請求項１】
制御対象の状態を制御する制御装置であって、
第１の時間と、前記第１の時間より長い第２の時間とを含む複数の時間から保持時間を選択する保持時間選択手段と；
前記保持時間選択手段によって前記第１の時間が保持時間として選択されてからの経過時間を計測する第１のタイマと；
人の存在を検出する人感センサと；
前記人感センサが人の存在を検出したことに基づいて、前記制御対象を第１の状態に制御する第１の制御部と；
前記人感センサが人の存在を検出しなくなってからの経過時間を計測する第２のタイマと；
前記第２のタイマによって計測された経過時間が保持時間に到達したときに、前記制御対象を前記第１の状態と異なる第２の状態に制御する第２の制御部と；
前記第１のタイマによって計測された経過時間が所定の切換時間に到達したときに、前記保持時間を前記第２の時間に切り換える保持時間切換部と；
を具備することを特徴とする制御装置。
【請求項２】
制御対象の状態を制御する制御装置であって、
第１の時間と、前記第１の時間より長い第２の時間とを含む複数の時間から保持時間を選択する保持時間選択手段と；
人の存在を検出する人感センサと；
前記人感センサが人の存在を検出したことに基づいて、前記制御対象を第１の状態に制御する第１の制御部と；
前記人感センサが人の存在を検出しなくなってからの経過時間を計測するタイマと；
前記タイマによって計測された経過時間が保持時間に到達したときに、前記制御対象を前記第１の状態と異なる第２の状態に制御する第２の制御部と；
前記人感センサが、人の存在を所定回数検知したときに、前記保持時間を前記第２の時間に切り換える保持時間切換部と；
を具備することを特徴とする制御装置。
【請求項３】
前記保持時間選択手段によって選択された保持時間を複数記憶する保持時間記憶部；
をさらに具備することを特徴とする請求項１または請求項２のいずれか１項に記載の制御装置。
【請求項４】
光源と、
前記光源を点灯する点灯装置と、
請求項１乃至３のいずれか１項に記載の制御装置と；
を具備することを特徴とする照明装置。
【手続補正２】
【補正対象書類名】明細書
【補正対象項目名】０００１
【補正方法】変更
【補正の内容】
【０００１】
【発明の属する技術分野】本発明は、制御対象を制御する制御装置、および照明装置に関する。
【手続補正３】
【補正対象書類名】明細書
【補正対象項目名】０００５
【補正方法】変更
【補正の内容】
【０００５】
【課題を解決するための手段】
Ａ．上記目的を達成するために本発明に係る制御装置は、制御対象の状態を制御する制御装置であって、第１の時間と、前記第１の時間より長い第２の時間とを含む複数の時間から保持時間を選択する保持時間選択手段と；前記保持時間選択手段によって前記第１の時間が保持時間として選択されてからの経過時間を計測する第１のタイマと；人の存在を検出する人感センサと；前記人感センサが人の存在を検出したことに基づいて、前記制御対象を第１の状態に制御する第１の制御部と；前記人感センサが人の存在を検出しなくなってからの経過時間を計測する第２のタイマと；前記第２のタイマによって計測された経過時間が保持時間に到達したときに、前記制御対象を前記第１の状態と異なる第２の状態に制御する第２の制御部と；前記第１のタイマによって計測された経過時間が所定の切換時間に到達したときに、前記保持時間を前記第２の時間に切り換える保持時間切換部と；を具備することを特徴とする。
【手続補正４】
【補正対象書類名】明細書
【補正対象項目名】０００６
【補正方法】変更
【補正の内容】
【０００６】
人感センサが人の存在を検知することによる制御対象の状態の変化、および人感センサが人の存在を検知しなくなってから保持時間が経過することによる制御対象の状態の変化を確認することで制御装置の動作確認を行える。ここで、保持時間選択手段によって第１の時間（第２の時間より短い）を保持時間として選択することで、この動作確認を速やかに行える。そして、保持時間選択手段によって第１の時間が保持時間として選択されてからの経過時間が所定の切換時間に到達したときに、保持時間が第２の時間に切り換えられる。このように保持時間が自動的に切り替わることで、ユーザが保持時間を第２の時間に再設定する必要がなくなる。
【手続補正５】
【補正対象書類名】明細書
【補正対象項目名】０００７
【補正方法】変更
【補正の内容】
【０００７】
Ｂ．本発明に係る制御装置は、制御対象の状態を制御する制御装置であって、第１の時間と、前記第１の時間より長い第２の時間とを含む複数の時間から保持時間を選択する保持時間選択手段と；人の存在を検出する人感センサと；前記人感センサが人の存在を検出したことに基づいて、前記制御対象を第１の状態に制御する第１の制御部と；前記人感センサが人の存在を検出しなくなってからの経過時間を計測するタイマと；前記タイマによって計測された経過時間が保持時間に到達したときに、前記制御対象を前記第１の状態と異なる第２の状態に制御する第２の制御部と；前記人感センサが、人の存在を所定回数検知したときに、前記保持時間を前記第２の時間に切り換える保持時間切換部と；を具備することを特徴とする。
【手続補正６】
【補正対象書類名】明細書
【補正対象項目名】０００８
【補正方法】変更
【補正の内容】
【０００８】
保持時間選択手段によって第１の時間（第２の時間より短い）を保持時間として選択することで、制御装置の動作確認を速やかに行える。そして、人感センサが人の存在を所定回数検知したときに、保持時間が第２の時間に切り換えられる。このように保持時間が自動的に切り替わることで、ユーザが保持時間を第２の時間に再設定する必要がなくなる。
【手続補正７】
【補正対象書類名】明細書
【補正対象項目名】０００９
【補正方法】変更
【補正の内容】
【０００９】
ここで、制御装置が、前記保持時間選択手段によって選択された保持時間を複数記憶する保持時間記憶部；をさらに具備してもよい。
保持時間記憶部に保持時間の選択の履歴を記憶させることができ、現在選択されているより以前に選択された保持時間を適用することが容易に行える。
【手続補正８】
【補正対象書類名】明細書
【補正対象項目名】００１０
【補正方法】変更
【補正の内容】
【００１０】
Ｃ．本発明に係る照明装置は、光源と、前記光源を点灯する点灯装置と、Ａ．またはＢ．のいずれかに記載の制御装置と；を具備することを特徴とする。
制御装置が、保持時間の切換を自動的に行うことで、ユーザが照明装置の動作確認後に保持時間を再設定する必要がなくなる。
【手続補正９】
【補正対象書類名】明細書
【補正対象項目名】００４１
【補正方法】変更
【補正の内容】
【００４１】
【発明の効果】
以上説明したように、本発明によれば制御対象の動作確認を短時間で行え、しかも再設定を不要とする制御装置、および照明装置を提供することができる。
請求項１記載の発明では、保持時間選択手段によって第１の時間が保持時間として選択されてからの経過時間が所定の切換時間に到達したときに、保持時間が第２の時間に切り換えられる。
請求項２記載の発明では、人感センサが人の存在を所定回数検知したときに、保持時間が第２の時間に切り換えられる。
請求項３記載の発明では、保持時間記憶部に保持時間の選択の履歴を記憶させることができ、現在選択されているより以前に選択された保持時間を適用することが容易に行える。
請求項４記載の発明では、制御装置が保持時間の切換を自動的に行うことで、ユーザが照明装置の動作確認後に保持時間を再設定する必要がなくなる。